(57)【要約】【課題】ＩＣチップにデータを書き込む作業が容易であり、かつ、書き込むデータを取り違えるおそれのないＲＦＩＤタグ書込システムを提供する。【解決手段】ＲＦＩＤタグ書込システムを、書込制御手段と、ＲＦＩＤタグにデータを書き込むＲＦＩＤ書込手段と、識別情報を光学的に読み取って書込制御手段に出力する光学情報読取手段と、各ＲＦＩＤタグに書き込む書込元データを識別情報と紐付けしたデータベースを記憶する記憶手段とにより構成する。そして、光学情報読取手段がＲＦＩＤタグに付された識別情報を読み取ると、書込制御手段が、当該識別情報に基づいて、データベースから当該ＲＦＩＤタグの書込元データを抽出して、ＲＦＩＤ書込手段を介して当該書込元データを通信可能範囲内のＲＦＩＤタグのＩＣチップに書き込むよう構成する。【選択図】図６
2020091668.tif 000002
【特許請求の範囲】
【請求項１】
書込制御手段と、
書込制御手段からの指示により、通信可能範囲にあるＲＦＩＤタグのＩＣチップに所要のデータを書き込むＲＦＩＤ書込手段と、
書込対象の各ＲＦＩＤタグ又は、該ＲＦＩＤタグが装着された各物品に光学認識可能な形態で付された識別情報と、書込対象の各ＲＦＩＤタグに書き込む書込元データとを紐付けしたデータベースを記憶するデータベース記憶手段と、
前記識別情報を光学的に読み取って、読み取った識別情報を書込制御手段に出力する光学情報読取手段と
を備え、
書込制御手段は、光学情報読取手段から前記識別情報が入力されると、前記データベースから当該識別情報に紐付けられた書込元データを抽出し、ＲＦＩＤ書込手段に対して、抽出した書込元データを通信可能範囲にあるＲＦＩＤタグのＩＣチップに書き込むよう指示することを特徴とするＲＦＩＤタグ書込システム。
【請求項２】
書込対象のＲＦＩＤタグのＩＣチップは、識別情報を記憶する識別情報記憶エリアと、識別情報以外のデータを記憶する非識別情報記憶エリアとを備え、
前記データベースに記憶される書込元データは、各ＲＦＩＤタグの識別情報記憶エリアに書き込むデータと、非識別情報記憶エリアに書き込むデータとからなり、
書込制御手段は、ＲＦＩＤ書込手段に対して、ＲＦＩＤタグのＩＣチップの識別情報記憶エリアへのデータ書込みと、同ＲＦＩＤタグのＩＣチップの非識別情報記憶エリアへのデータ書込みとを、個別に指示可能なものであることを特徴とする請求項１に記載のＲＦＩＤタグ書込システム。
【請求項３】
書込制御手段がＲＦＩＤ書込手段に書込元データの書込みを指示する記憶エリアを、使用者に選択可能とする書込エリア選択手段を備えることを特徴とする請求項２に記載のＲＦＩＤタグ書込システム。
【請求項４】
コンピュータに、
書込対象の各ＲＦＩＤタグ又は、該ＲＦＩＤタグが装着された各物品に光学認識可能な形態で付された識別情報を、光学コードリーダを介して取り込む識別情報取込ステップと、
識別情報取込ステップで前記識別情報を取り込むのを契機として、書込対象の各ＲＦＩＤタグに書き込む書込元データと前記識別情報とを夫々紐付けしたデータベースから、取り込んだ前記識別情報に対応する書込元データを抽出する書込元データ抽出ステップと、
書込元データ抽出ステップで書込元データを抽出するのを契機として、当該書込元データを、ＲＦＩＤリーダライタの通信可能範囲にあるＲＦＩＤタグのＩＣチップに書き込むよう当該ＲＦＩＤリーダライタを制御するデータ書込ステップと
を実行させるためのプログラム。
【請求項５】
さらに、前記コンピュータに
データ書込ステップで、ＲＦＩＤタグのＩＣチップに書き込んだデータを、当該ＲＦＩＤタグから読み取るよう、ＲＦＩＤリーダライタを制御するデータ読取ステップと、
データ読取ステップで読み取ったデータが、データ書込ステップで書き込んだ書込元データと整合しているか否かを判定する書込検証ステップと
を実行させるための請求項４に記載のプログラム。
【発明の詳細な説明】
【技術分野】
【０００１】
本発明は、ＲＦＩＤタグにデータを書き込むシステムに関する。
【背景技術】
【０００２】
近年、物流分野、工場生産分野などでは、データを読み書き可能なＩＣチップと、無線通信用のアンテナとを具備した非接触型のＵＨＦ帯ＲＦＩＤタグが広く利用されている。一般的に、ＵＨＦ帯ＲＦＩＤタグのＩＣチップのメモリ領域は、ＴＩＤエリア、ＵＩＩ（ＥＰＣ）エリア、ＵＳＥＲエリア、ＲＥＳＥＲＶＥＤエリアに分割されている。ＴＩＤエリアには、製造時にメーカーによって固有のＩＤが書換不能に記憶される。ＵＩＩエリアには、ＲＦＩＤタグの装着対象を識別するのに使用する識別情報が記憶される。ＵＳＥＲエリアには、使用者が規定した追加情報が記憶される。また、ＲＥＳＥＲＶＥＤエリアには、キルパスワードとアクセスパスワードが記憶される。
【０００３】
一般的に、かかるＲＦＩＤタグには、使用前に、ＩＣチップのＵＩＩエリアに識別情報が書き込まれる。また、ＵＳＥＲエリアやＲＥＳＥＲＶＥＤエリアには、必要に応じて追加情報やパスワードが書き込まれる。一般的に、こうしたＲＦＩＤタグでは、ＵＩＩエリアに記憶させるのと同様の識別情報を、光学コードやＯＣＲ文字等の光学認識可能な形態でも記録しておき、ＲＦＩＤリーダが使用できない状況下や、ＩＣチップが故障した場合に、識別情報を光学的に読み取り得るようにしている。なお、ＵＳＥＲエリアに記憶させる追加データは書き換える可能性があり、また、ＲＥＳＥＲＶＥＤエリアに書き込むパスワードは秘匿情報であるため、ＵＩＩエリア以外に書き込む情報は、光学認識可能な形態では記録されない。
【０００４】
また、従来のＲＦＩＤタグでは、ＩＣチップへのデータ書込みに先立って、ＲＦＩＤタグや該ＲＦＩＤタグが装着された物品に、光学認識可能な形態で識別情報を記録しておき、該識別情報を光学的に読み取って、当該ＲＦＩＤタグのＵＩＩエリアにそのまま書き込むことが行われている（例えば、特許文献１）。かかる書込方法によれば、ＲＦＩＤタグのＵＩＩエリアに書き込むべき識別情報を、他のＲＦＩＤタグに係る識別情報と取り違えるミスを防止できる。
【先行技術文献】
【特許文献】
【０００５】
【特許文献１】特開２００２−１２８２４０号公報
【発明の概要】
【発明が解決しようとする課題】
【０００６】
上述の従来方法では、ＲＦＩＤタグや該ＲＦＩＤタグの装着済物品に記録された識別情報を光学的に読み取って、当該識別情報をＩＣチップのＵＩＩエリアにそのまま書き込んでいるが、識別情報以外のデータは、ＲＦＩＤタグや装着済物品に光学認識可能な形態で記録されていない。このため、ＵＳＥＲエリアやＲＥＳＥＲＶＥＤエリアにデータを書き込む作業は、ＵＩＩエリアへのデータ書込みとは別に実行する必要があり、二度手間となっている。また、ＵＳＥＲエリアやＲＥＳＥＲＶＥＤエリアに書き込むデータについては、他のＲＦＩＤタグのものと取り違えるおそれがあった。
【０００７】
本発明はかかる現状に鑑みてなされたものであり、従来構成に比べて、ＩＣチップにデータを書き込む作業が容易であり、かつ、書き込むデータを取り違えるおそれのないＲＦＩＤタグ書込システムの提供を目的とする。
【課題を解決するための手段】
【０００８】
本発明は、書込制御手段と、書込制御手段からの指示により、通信可能範囲にあるＲＦＩＤタグのＩＣチップに所要のデータを書き込むＲＦＩＤ書込手段と、書込対象の各ＲＦＩＤタグ又は、該ＲＦＩＤタグが装着された各物品に光学認識可能な形態で付された識別情報と、書込対象の各ＲＦＩＤタグに書き込む書込元データとを紐付けしたデータベースを記憶するデータベース記憶手段と、前記識別情報を光学的に読み取って、読み取った識別情報を書込制御手段に出力する光学情報読取手段とを備え、書込制御手段は、光学情報読取手段から前記識別情報が入力されると、前記データベースから当該識別情報に紐付けられた書込元データを抽出し、ＲＦＩＤ書込手段に対して、抽出した書込元データを通信可能範囲にあるＲＦＩＤタグのＩＣチップに書き込むよう指示することを特徴とするＲＦＩＤタグ書込システムである。ここで、ＲＦＩＤタグが装着される「物品」とは、商品や、商品包装、運搬容器、保管容器などが挙げられる。
【０００９】
かかるＲＦＩＤタグ書込システムでは、書込対象のＲＦＩＤタグ、又は該ＲＦＩＤタグが装着された物品に付された識別情報を光学的に読み取ると、当該識別情報に基づいて書込元データが特定されて、ＲＦＩＤ書込手段によって当該書込元データがＲＦＩＤタグに書き込まれることとなる。このため、本発明では、ＲＦＩＤタグをＲＦＩＤ書込手段の通信可能範囲に配置した状態で、当該ＲＦＩＤタグ、又は該ＲＦＩＤタグが装着された物品に付された識別情報を光学情報読取手段で読み取れば、データを取り違えることなく、当該ＲＦＩＤタグに所要のデータを書き込むことができる。そして、本発明では、識別情報と紐付ける書込元データには、識別情報以外の情報も含めることが可能であるから、識別情報以外のデータも、識別情報と紐付けして、識別情報とともにＲＦＩＤタグに書き込むことができる。したがって、本発明によれば、識別情報以外のデータを書き込む際にも、データの取り違いが生じにくく、また、データの書込作業も従来よりも容易となる。
【００１０】
本発明にあって、書込対象のＲＦＩＤタグのＩＣチップは、識別情報を記憶する識別情報記憶エリアと、識別情報以外のデータを記憶する非識別情報記憶エリアとを備え、前記データベースに記憶される書込元データは、各ＲＦＩＤタグの識別情報記憶エリアに書き込むデータと、非識別情報記憶エリアに書き込むデータとからなり、書込制御手段は、ＲＦＩＤ書込手段に対して、ＲＦＩＤタグのＩＣチップの識別情報記憶エリアへのデータ書込みと、同ＲＦＩＤタグのＩＣチップの非識別情報記憶エリアへのデータ書込みとを、個別に指示可能なものである構成が提案される。
【００１１】
一般的なＲＦＩＤリーダライタは、識別情報記憶エリア（ＵＩＩエリア等）にデータを書き込む処理と、非識別情報記憶エリア（ＵＳＥＲエリアやＲＥＳＥＲＶＥＤエリア等）にデータを書き込む処理とを同時に実行するよう構成されていない。このため、かかる構成のように、書込制御手段が、ＲＦＩＤ書込手段に各記憶エリアへの書込み指示を個別に実行するよう構成すれば、一般的なＲＦＩＤリーダライタを、本発明のＲＦＩＤ書込手段として採用して、本発明を低コストで実現可能となる。なお、本発明にあって、識別情報記憶エリアに書き込む識別情報は、書込対象のＲＦＩＤタグを識別可能なものであればよく、光学情報読取手段が読み取る識別情報と同一の識別情報を書き込むものに限られない。
【００１２】
上記構成にあって、さらに、書込制御手段がＲＦＩＤ書込手段に書込元データの書込みを指示する記憶エリアを、使用者に選択可能とする書込エリア選択手段を備える構成が提案される。かかる構成とすれば、用途の異なる複数種類のＲＦＩＤタグの書込みに対応可能となる。
【００１３】
本発明の別の態様として、書込対象の各ＲＦＩＤタグ又は、該ＲＦＩＤタグが装着された各物品に光学認識可能な形態で付された識別情報を、光学コードリーダを介して取り込む識別情報取込ステップと、識別情報取込ステップで前記識別情報を取り込むのを契機として、書込対象の各ＲＦＩＤタグに書き込む書込元データと前記識別情報とを夫々紐付けしたデータベースから、取り込んだ前記識別情報に対応する書込元データを抽出する書込元データ抽出ステップと、書込元データ抽出ステップで書込元データを抽出するのを契機として、当該書込元データを、ＲＦＩＤリーダライタの通信可能範囲にあるＲＦＩＤタグのＩＣチップに書き込むよう当該ＲＦＩＤリーダライタを制御するデータ書込ステップとをコンピュータに実行させるためのプログラムが提案される。かかるプログラムをコンピュータにインストールすれば、既存のハードウェアの組合せにより、本発明のＲＦＩＤタグ書込システムを低廉に実現可能となる。
【００１４】
また、上記プログラムにおいて、さらに、前記コンピュータにデータ書込ステップで、ＲＦＩＤタグのＩＣチップに書き込んだデータを、当該ＲＦＩＤタグから読み取るよう、ＲＦＩＤリーダライタを制御するデータ読取ステップと、データ読取ステップで読み取ったデータが、データ書込ステップで書き込んだ書込元データと整合しているか否かを判定する書込検証ステップとを実行させることが提案される。かかる構成とすれば、ＲＦＩＤタグ書込システムによって、ＲＦＩＤタグに正常にデータが書き込まれたか否かの検証を、書込直後に行うことが可能となるため、書込エラーとなったＲＦＩＤタグの除去や再書込みを、効率的に行うことが可能となる。
【発明の効果】
【００１５】
以上のように、本発明によれば、書き込むデータを取り違えることなく、ＲＦＩＤタグにデータを容易に書き込むことが可能となる。
【図面の簡単な説明】
【００１６】
【図１】書込対象のＲＦＩＤタグ１０の平面図である。
【図２】実施例のＲＦＩＤタグ書込システム１の構成要素を示すブロック図である。
【図３】ＲＦＩＤタグ書込システム１によるＲＦＩＤタグ１０へのデータ書込み作業を示す説明図である。
【図４】書込元データテーブルの内容を示す図表である。
【図５】設定操作画面７の表示例である。
【図６】ＲＦＩＤ書込プログラムの処理内容を示すフローチャートである。
【図７】ＲＦＩＤタグ１０ａ及びステッカー１３ａを貼付したクリアフォルダＦの正面図である。
【発明を実施するための形態】
【００１７】
本発明の実施形態を、以下の実施例によって説明する。
本実施例のＲＦＩＤタグ書込システム（以下、単に「書込システム」とも言う。）は、非接触型のＲＦＩＤタグのＩＣチップに所要のデータを書き込むものである。
【００１８】
本実施例の書込システム１が書込対象とするＲＦＩＤタグ１０は、ＵＨＦ帯のパッシブタグである。具体的には、図１に示すように、ＩＣチップとアンテナとを一体化してなるＲＦＩＤインレット１２を透明樹脂板１１に埋設し、透明樹脂板１１の表面に、識別情報として各タグに固有のシリアル番号が付されたものが提案される。シリアル番号は８桁の数字であり、図１に示すように、透明樹脂板１１の表面には、シリアル番号が数字とＱＲコード１４（登録商標）で印刷されたステッカー１３が貼付される。ＲＦＩＤインレット１２は、ＩＳＯ規格（ＩＳＯ／ＩＥＣ  １８０００−６３）に準拠したものであり、そのＩＣチップのメモリ領域は、ＲＦＩＤタグ１０の識別情報を記憶するＵＩＩエリアと、使用者が自由に書込可能なＵＳＥＲエリアと、ＩＣチップの製造時に記憶されるＴＩＤエリアと、メモリのアクセス許可レベルやパスワードを記憶するＲＥＳＥＲＶＥＤエリアとに分割されている。ここで、ＵＳＥＲエリア及びＲＥＳＥＲＶＥＤエリアは、本発明に係る非識別情報記憶エリアに相当し、ＵＩＩエリアは、本発明に係る識別情報記憶エリアに相当するものである。各エリアは上記ＩＳＯ規格に準拠したものであるため、詳細な説明は省略する。
【００１９】
本実施例の書込システム１は、上述のＲＦＩＤタグ１０などに所要のデータを書き込むものである。本実施例の書込システム１は、図２に示すように、ＲＦＩＤタグ１０に付されたＱＲコード１４を読み取るＱＲコードリーダ３と、ＲＦＩＤタグ１０のＩＣチップ１７にデータを書き込むＲＦＩＤリーダライタ４と、制御用ＰＣ２とを備えている。制御用ＰＣ２は、後述するＲＦＩＤ書込プログラムがインストールされた汎用のコンピュータであり、ＱＲコードリーダ３を介して書込対象のＲＦＩＤタグ１０の識別情報を取り込むとともに、ＲＦＩＤリーダライタ４を制御して所要のデータをＲＦＩＤタグ１０のＩＣチップ１７に書き込むものである。
【００２０】
ＲＦＩＤリーダライタ４は、書込対象のＲＦＩＤタグ１０に記憶されるデータを読み書き可能なものであり、制御用ＰＣ２に接続されて、制御用ＰＣ２からのコマンドにしたがって作動する。すなわち、かかるＲＦＩＤリーダライタ４が、本発明に係るＲＦＩＤ書込手段を構成する。ＲＦＩＤリーダライタ４は、筐体上方が通信可能範囲となる据置きタイプであり、図３に示すように、書込対象のＲＦＩＤタグ１０を筐体の上に載せることで、当該ＲＦＩＤタグ１０にデータを書き込み可能となる。なお、ＲＦＩＤリーダライタ４は、ＲＦＩＤタグ１０の各エリア（ＵＩＩ，ＵＳＥＲ、ＲＥＳＥＲＶＥＤ）へのデータの読み書きをエリア毎に個別に実行するものである。かかるＲＦＩＤリーダライタ４は、汎用品を好適に用い得るため、詳細な説明は省略する。
【００２１】
ＱＲコードリーダ３は、ハンディタイプの汎用品である。ＱＲコードリーダ３は、制御用ＰＣ２に接続されており、図３に示すように、使用者が、ＱＲコードリーダ３のトリガーを引いて、ＲＦＩＤタグ１０に付されたＱＲコード１４を読み取ると、ＱＲコード１４に記録されたシリアル番号が制御用ＰＣ２に出力される。すなわち、かかるＱＲコードリーダ３が、本発明に係る光学情報読取手段を構成する。
【００２２】
制御用ＰＣ２は、ＱＲコードリーダ３から入力されるシリアル番号に基づいて、ＲＦＩＤタグ１０に書き込むべきデータを取得し、ＲＦＩＤリーダライタ４を制御して当該データをＲＦＩＤタグ１０のＩＣチップ１７に書き込むものである。すなわち、かかる制御用ＰＣ２が、本発明に係る書込制御手段を構成する。
【００２３】
具体的には、制御用ＰＣ２には、ＲＦＩＤ書込プログラムがインストールされる。制御用ＰＣ２は、ＲＦＩＤ書込プログラムの実行中に、ＱＲコードリーダ３からＲＦＩＤタグ１０のシリアル番号が入力されると、制御用ＰＣ２の記憶装置に記憶された書込元データテーブルから、当該ＲＦＩＤタグ１０に書き込むべき書込元データを抽出する。書込元データテーブルは、各ＲＦＩＤタグ１０の書込元データと、各ＲＦＩＤタグ１０のシリアル番号とを紐付けしたデータベースであり、制御用ＰＣ２は、ＱＲコードリーダ３から入力されたシリアル番号をキーとして、当該ＲＦＩＤタグ１０に書き込むべき書込元データを書込元データテーブルから抽出する。すなわち、制御用ＰＣ２が、本発明に係るデータベース記憶手段を構成する。
【００２４】
そして、制御用ＰＣ２は、書込元データテーブルから書込元データを抽出すると、ＲＦＩＤリーダライタ４に対して、当該書込元データの書き込みを指示するコマンドを出力する。ここで、ＲＦＩＤリーダライタ４は、ＲＦＩＤタグ１０のエリア毎にデータの書込みを実行するものであるため、制御用ＰＣ２からＲＦＩＤリーダライタ４には、データの書込みを指示するコマンドが、エリア毎に個別出力される。また、図４に示すように、書込元データテーブルに記憶される書込元データも、制御用ＰＣ２からＲＦＩＤリーダライタ４へのコマンドに合わせて、ＵＳＥＲエリアに書き込むデータと、ＵＩＩエリアに書き込むデータと、ＲＥＳＥＲＶＥＤエリアに書き込むデータとによって構成される。
【００２５】
また、制御用ＰＣ２の記憶装置には、データ書込みに係るログ（履歴情報）が記憶される。ログには、データを書き込んだＲＦＩＤタグのシリアル番号に対して、データを書き込んだエリアや、書込済みデータの検証結果などが紐付けして蓄積記憶される。
【００２６】
このように、制御用ＰＣ２は、ＲＦＩＤ書込プログラムの実行中は、ＱＲコードリーダ３からのシリアル番号の入力を契機として、当該シリアル番号に紐付けられた書込元データをＲＦＩＤタグ１０に書き込むようＲＦＩＤリーダライタ４を制御する。このため、本実施例では、図３に示すように、ＲＦＩＤタグ１０をＲＦＩＤリーダライタ４の筐体の上（通信可能範囲）に配置して、当該ＲＦＩＤタグ１０のＱＲコード１４をＱＲコードリーダ３で読み取れば、当該ＲＦＩＤタグ１０に書き込むべき書込元データが、当該ＲＦＩＤタグ１０に瞬時に書き込まれることとなる。
【００２７】
制御用ＰＣ２は、ＲＦＩＤ書込プログラムの実行中に、図３に示すように、ディスプレイ６に、ユーザインタフェースとして設定操作画面７を表示する。設定操作画面７では、使用者にＲＦＩＤタグ１０へのデータ書込みに関する各種の情報が表示されるとともに、使用者は設定操作画面７を介してデータ書込みに関する各種設定を行うことができる。
【００２８】
図５は、設定操作画面７の一表示例を示したものである。詳述すると、まず、設定操作画面７の上部の読取データ表示部２０には、ＱＲコードリーダ３から入力されたデータ、すなわち、ＲＦＩＤタグ１０のＱＲコード１４から読み取ったシリアル番号が表示される。また、書込対象選択部２１は、使用者がデータの書込対象エリアを選択する箇所であり、ＵＩＩ、ＵＳＥＲ、ＲＥＳＥＲＶＥＤの各エリアのうち、使用者がチェックを入れたエリアが書込対象エリアとして設定される。すなわち、本発明に係る書込エリア選択手段は、制御用ＰＣ２によって実現される。なお、書込対象エリアは複数選択可能である。書込元データ表示部２２には、ＱＲコードリーダ３から入力されたシリアル番号に紐付けされた書込元データが、エリア毎に表示される。ロック条件設定部２３は、使用者が、データ書込後のロック条件を設定する箇所であり、「ＬＯＣＫ解除」、「永久ＬＯＣＫ解除」、「ＬＯＣＫ」、「永久ＬＯＣＫ」の４種類の条件を、書込対象エリア毎に設定できる。書込元データテーブル表示部２４には、制御用ＰＣ２の記憶装置に取り込んだ書込元データテーブルのファイル名が表示される。ログ出力先表示部２５は、設定されたログ出力先が表示される。設定操作画面７の下部の操作案内部２６には、操作に使用するファンクションキーの機能案内が表示される。具体的には、「Ｆ２」キーの操作により、書込対象のＲＦＩＤタグ１０のシリアル番号と書込元データを記憶する書込元データテーブルを、外部から取り込ませることができる。また、「Ｆ６」キーの操作により、ＲＦＩＤ書込プログラムを終了させることができる。そして、「Ｆ１０」キーの操作により、ログ出力先を指定することができる。
【００２９】
図６は、ＲＦＩＤ書込プログラムの制御処理を示すフローチャートである。かかる制御処理は、ＲＦＩＤ書込プログラムが終了するまで、繰り返し実行される。なお、図６のフローチャートにおいて、本発明に係る識別情報取込ステップは、ステップＳ９，Ｓ１０により主に実現される。また、本発明に係る書込元データ抽出ステップは、ステップＳ１１により主に実現される。また、本発明に係るデータ書込ステップは、ステップＳ１３〜Ｓ１８により主に実現される。また、本発明に係るデータ読取ステップ及び書込検証ステップは、ステップＳ１９により主に実現される。
【００３０】
ＲＦＩＤ書込プログラムの制御処理について詳述すると、図６に示すように、かかる制御処理では、まず、書込みの設定に係る一連の処理を実行する（Ｓ１〜Ｓ８）。具体的には、書込元データテーブルの取込みを要求する操作がなされた場合には、書込元データテーブルを取り込むための処理を実行する（Ｓ１，Ｓ２）。また、書込対象エリアを変更するための操作がなされた場合には、当該操作にしたがって書込対象エリアを変更する（Ｓ３，Ｓ４）、そして、ロック条件を変更するための操作がなされた場合には、当該操作にしたがってロック条件を変更する（Ｓ５，Ｓ６）。さらに、ログの出力先を変更するための操作がなされた場合には、当該操作にしたがってログの出力先を変更する（Ｓ７，Ｓ８）。
【００３１】
続いて、ＲＦＩＤ書込プログラムでは、ＱＲコードリーダ３からＲＦＩＤタグ１０のシリアル番号が入力されているか否かを判定し（Ｓ９）、シリアル番号が入力されている場合には、当該シリアル番号の取込みを実行して（Ｓ１０）、当該シリアル番号に基づいて、ＲＦＩＤタグ１０にデータを書き込む一連の処理を実行する（Ｓ１１〜Ｓ２２）。具体的には、まず、書込元データテーブルから当該シリアル番号に紐付けされた書込元データを抽出して（Ｓ１１）、当該シリアル番号と、抽出した書込元データとを設定操作画面７に表示する（Ｓ１２）。次に、ＲＦＩＤリーダライタ４を制御して、抽出した書込元データをＲＦＩＤタグ１０の書込対象エリアに書き込む（Ｓ１３〜Ｓ１８）。具体的には、ＵＳＥＲ、ＵＩＩ、ＲＥＳＥＲＶＥＤの３つのエリアの夫々について、書込対象エリアに設定されているか否かを順番に判定して、書込対象エリアであると判定したエリアについては、当該エリアの書込元データを通信可能範囲に配置されたＲＦＩＤタグ１０に書き込むよう、ＲＦＩＤリーダライタ４にコマンドを送信する。
【００３２】
そして、各書込対象エリアへの書込終了後は、書込済みデータの検証を行う（Ｓ１９）。具体的には、書き込んだデータをＲＦＩＤタグ１０の書込対象エリアから読み取るよう、ＲＦＩＤリーダライタ４にコマンドを送信し、さらに、ＲＦＩＤリーダライタ４が読み取ったデータが、ステップＳ１３〜Ｓ１８で書き込んだ書込元データと一致するか否かを判定して、当該判定結果に基づいてデータが正常に書き込まれたか否かを検証する。そして、検証結果が正常であったか否かを判定し（Ｓ２０）、正常でないと判定した場合には、設定操作画面７にエラーメッセージを表示してから（Ｓ２１）、今回の書込みに関するログを出力する（Ｓ２２）。正常であると判定した場合は、エラーメッセージを表示せずにログを出力する（Ｓ２２）。なお、書込済みデータの検証結果が正常でないと判定した場合は、自動的にデータの再書込みを試みるようにしてもよい。
【００３３】
そして、最後にＲＦＩＤ書込プログラムを終了するための操作がなされたか否かを判定して（Ｓ２３）、当該操作がなされたと判定した場合は、ＲＦＩＤ書込プログラムを終了し、また、当該操作がなされていないと判定した場合は、ステップＳ１から処理を繰り返す。
【００３４】
以上のように、本実施例のＲＦＩＤ書込システム１は、各ＲＦＩＤタグ１０の書込元データを、各ＲＦＩＤタグ１０のシリアル番号と紐付けした書込元データテーブルを備え、ＱＲコードリーダ３でＲＦＩＤタグ１０の表面に付されたシリアル番号を光学的に読み取ると、当該シリアル番号に紐付けされた書込元データを、通信可能範囲に配置されたＲＦＩＤタグ１０のＩＣチップ１７に書き込むよう構成される。ここで、書込元データテーブルには、識別情報以外のデータを記憶するＵＳＥＲエリアやＲＥＳＥＲＶＥＤエリアへの書込元データも、シリアル番号と紐付けられて記憶されているため、本実施例にあっては、識別情報以外のデータを書き込むエリアにも、他のタグのデータと取り違えることなく、データを適切に書き込むことができる。また、本実施例では、ＱＲコードリーダ３によるシリアル番号の読取りを契機として、ＵＩＩエリア、ＵＳＥＲエリア、及びＲＥＳＥＲＶＥＤエリアの３つにデータが書き込まれるため、従来構成に比べて、ＲＦＩＤタグにデータを効率的に書き込むことができる。
【００３５】
また、本実施例では、設定操作画面７の書込対象選択部２１にチェックを入れることで、ＲＦＩＤタグ１０の書込対象エリアを使用者が選択可能となっている。ＲＦＩＤタグの用途によっては、ＵＳＥＲエリアやＲＥＳＥＲＶＥＤエリアへのデータの書込みが不要な場合もあるため、かかる構成によれば、様々な用途のＲＦＩＤタグに、適切にデータを書き込むことができる。
【００３６】
また、本実施例では、制御用ＰＣ２からＲＦＩＤリーダライタ４に対して、ＲＦＩＤタグ１０にデータの書込みを指示するコマンドを、ＲＦＩＤタグ１０のエリア毎に個別に送信している。かかる構成によれば、ＲＦＩＤリーダライタ４に汎用品を採用できるため、書込システム１を低廉に実現可能となる。
【００３７】
また、本実施例に係るＲＦＩＤ書込プログラムによれば、ＲＦＩＤタグ１０の書込対象エリアにデータを書き込んだ直後に、当該データを当該書込対象エリアから読み取って、読み取ったデータが書込元データと一致するか否かを判定することとなる。このため、本実施例にあっては、書込エラーとなったＲＦＩＤタグの除去や再書込みを、その場で効率的に行うことができる。
【００３８】
なお、図１に示すＲＦＩＤタグ１０は、本実施例の書込システム１の書込対象の典型例に過ぎず、本実施例の書込システム１が書込対象とするＲＦＩＤタグは、図１の構成に限定されるものではない。例えば、図１のＲＦＩＤタグ１０の構成を、透明樹脂板１１にＱＲコード１４を直接マーキングするよう変更したものや、透明樹脂板１１にステッカー１３を埋設するよう変更したものも、本実施例の書込システム１の書込対象となり得る。また、図１のＲＦＩＤタグ１０の構成を、透明樹脂板１１の表面にＲＦＩＤインレット１２を貼付するよう変更したものや、透明樹脂板１１を不透明な基材に変更したものも、本実施例の書込システム１の書込対象となり得る。
【００３９】
また、本実施例の書込システム１の書込対象には、物品に装着した後のＲＦＩＤタグも含まれ得る。ここで、物品に装着した後のＲＦＩＤタグを書込対象とする場合には、光学認識可能な識別情報が、ＲＦＩＤタグでなく、当該装着物品に付されていても同様の効果を期待できる。例えば、図７は、業務書類を挟むクリアフォルダＦである。かかるクリアフォルダＦには、業務書類の所在管理を目的としてシート状のＲＦＩＤタグ１０ａとステッカー１３ａが貼付される。図１のＲＦＩＤタグ１０と同様に、ステッカー１３ａには、シリアル番号が数字とＱＲコード１４ａで印刷される。このように、クリアフォルダＦに貼付されたＲＦＩＤタグ１０ａが、本実施例の書込システム１の書込対象である場合には、図７に示すように、ＱＲコード（識別情報）１４ａがＲＦＩＤタグ１０ａに貼付されていなくても、ＲＦＩＤタグ１０ａとＱＲコード１４ａを確実に対応付けできるため、書き込むデータを取り違えることなく、当該ＲＦＩＤタグ１０ａにデータを書き込むことができる。
【００４０】
以上に、本発明の実施例について説明したが、本発明は、上記実施例の形態に限定されるものでなく、本発明の趣旨を逸脱しない範囲内において適宜変更可能である。例えば、上記実施例では、ＲＦＩＤタグ１０に光学コード（ＱＲコード１４）で記録された識別情報（シリアル番号）を、ＱＲコードリーダ３で読み取って制御用ＰＣ２に出力するよう構成されているが、光学コードを撮像装置で撮影した画像を制御用ＰＣ２に出力して、制御用ＰＣ２にインストールした光学コード読取プログラムで当該光学コードに記録された識別情報をデコードする構成としてもよい。また、本発明に係る光学情報読取手段は、ＲＦＩＤタグ１０にＯＣＲ文字等で記録された識別情報を光学的読み取るものであってもよい。
【００４１】
また、上記実施例の書込システム１は、ハンディタイプのＱＲコードリーダ３と、据置型のＲＦＩＤリーダライタ４とを具備しているが、ＲＦＩＤリーダライタ４の周辺にＱＲコードリーダ３を据え付けて、ＲＦＩＤリーダライタ４の通信可能範囲にＲＦＩＤタグ１０を配置した時に、当該ＲＦＩＤタグ１０のＱＲコード１４を、ＱＲコードリーダ３が自動的に読み取るように構成してもよい。また、ＱＲコードリーダ３及びＲＦＩＤリーダライタ４を、両機能を具備する一台の装置で実現してもよい。
【符号の説明】
【００４２】
１  ＲＦＩＤタグ書込システム
２  制御用ＰＣ（書込制御手段）
３  ＱＲコードリーダ（光学情報読取手段）
４  ＲＦＩＤリーダライタ（ＲＦＩＤ書込手段）
６  ディスプレイ
７  設定操作画面
１０，１０ａ  ＲＦＩＤタグ
１１  透明樹脂板
１２  ＲＦＩＤインレット
１３，１３ａ  ステッカー
１４，１４ａ  ＱＲコード（識別情報）
２０  読取データ表示部
２１  書込対象選択部
２２  書込元データ表示部
２３  ロック条件設定部
２４  書込元データテーブル表示部
２５  ログ出力先表示部
２６  操作案内部
【図１】
2020091668.tif 000003
【図２】
2020091668.tif 000004
【図３】
2020091668.tif 000005
【図４】
2020091668.tif 000006
【図５】
2020091668.tif 000007
【図６】
2020091668.tif 000008
【図７】
2020091668.tif 000009